(57)【要約】【課題】磨耗および雑音等の問題を抑制しながら、回転を阻害することなく回転盤の電気回路に給電する。【解決手段】音響装置は、基体部３００と、基体部３００に設置されて電力を出力する電源回路２５と、基体部３００に回転可能に支持されて楽曲の再生の進行に利用される回転体４００と、回転体４００に設置されて給電により動作する電気回路２９と、電源回路２５が出力した電力を非接触で電気回路２９に供給する非接触給電部Ｃとを具備する。【選択図】図２
2020089036.tif 000002
【特許請求の範囲】
【請求項１】
基体部と、
前記基体部に設置されて電力を出力する電源回路と、
前記基体部に回転可能に支持されて楽曲の再生の進行に利用される回転体と、
前記回転体に設置されて給電により動作する電気回路と、
前記電源回路が出力した電力を非接触で前記電気回路に供給する非接触給電部と
を具備する音響機器。
【請求項２】
前記回転体は、利用者の操作に応じて回転する
請求項１の音響機器。
【請求項３】
前記回転体を回転させる駆動機構を具備し、
前記回転体には、レコードが載置される
請求項１または請求項２の音響機器。
【請求項４】
前記非接触給電部は、前記基体部に設置される第１コイルと、前記回転体に設置される第２コイルとを含むトランスである
請求項１から請求項３の何れかの音響機器。
【請求項５】
前記電気回路は、前記楽曲の演奏音を表す音響信号に応じて動作する動作部を含む
請求項１から請求項４の何れかの音響機器。
【請求項６】
前記動作部は、前記音響信号に応じて振動する振動体である
請求項５の音響機器。
【請求項７】
前記電気回路は、前記音響信号を無線により受信する通信機を含み、
前記動作部は、前記通信機が受信した前記音響信号に応じて動作する
請求項５または請求項６の音響機器。
【請求項８】
前記非接触給電部は、前記基体部から前記動作部に前記音響信号を伝送し、
前記動作部は、前記非接触給電部により伝送された前記音響信号に応じて動作する
請求項５または請求項６の音響機器。
【発明の詳細な説明】
【技術分野】
【０００１】
本発明は、音を再生するための技術に関する。
【背景技術】
【０００２】
音を再生するための各種の技術が従来から提案されている。例えば、特許文献１には、回転するターンテーブルに載置されたディスクに記録された音楽を再生する再生装置が開示されている。
【先行技術文献】
【特許文献】
【０００３】
【特許文献１】特開２００３−２５７１７１号公報
【発明の概要】
【発明が解決しようとする課題】
【０００４】
各種の電気回路をターンテーブルに搭載する構成が想定される。しかし、特許文献１の技術において、ケーブル等の有線によりターンテーブルの電気回路に電力を供給する構成では、ケーブルがターンテーブルの回転を阻害してしまう。また、整流子およびブラシを利用してターンテーブルの電気回路に給電する構成も想定されるが、整流子の経時的な磨耗または整流子とブラシとの摺動に起因した雑音が問題となる。以上の事情を考慮して、本発明は、磨耗および雑音等の問題を抑制しながら、回転を阻害することなく回転盤の電気回路に給電することを目的とする。
【課題を解決するための手段】
【０００５】
以上の課題を解決するために、本発明の好適な態様に係る音響機器は、基体部と、前記基体部に設置されて電力を出力する電源回路と、前記基体部に回転可能に支持されて楽曲の再生の進行に利用される回転体と、前記回転体に設置されて給電により動作する電気回路と、前記電源回路が出力した電力を非接触で前記電気回路に供給する非接触給電部とを具備する。
【図面の簡単な説明】
【０００６】
【図１】第１実施形態に係る再生システムの構成を例示する構成図である。
【図２】図１におけるＤＪ機器の断面図である。
【図３】ＤＪ機器の機能的な構成を例示するブロック図である。
【図４】第２実施形態に係るＤＪ機器の構成を例示する構成図である。
【図５】図４におけるＤＪ機器の断面図である。
【図６】ＤＪ機器の機能的な構成を例示するブロック図である。
【図７】第３実施形態に係るＤＪ機器の断面図である。
【発明を実施するための形態】
【０００７】
＜第１実施形態＞
図１は、本発明の第１実施形態に係る再生システム１００の構成を例示する構成図である。第１実施形態の再生システム１００は、例えば楽曲を再生するコンピュータシステムであり、クラブまたはライブハウス等の各種イベント会場に設置される。再生システム１００の利用者は、例えばディスクジョッキー（ＤＪ）である。図１に例示される通り、第１実施形態の再生システム１００は、制御システム１０とＤＪ機器２０とを具備する。
【０００８】
制御システム１０は、楽曲の再生を制御する。第１実施形態の制御システム１０は、楽曲を再生する再生装置としても機能する。例えばスマートフォン、タブレット端末またはパーソナルコンピュータ等の可搬型の情報端末が制御システム１０として好適に利用される。利用者による操作装置（図示略）に対する操作に応じて、楽曲の再生が開始および終了される。操作装置（例えばタッチパネル）は、例えば利用者が操作する複数の操作子を含んで構成される。制御システム１０とＤＪ機器２０とは、例えばBluetooth（登録商標）またはＷi-Ｆi（登録商標）等の近距離無線通信により相互に通信可能である。
【０００９】
第１実施形態のＤＪ機器２０は、制御システム１０が再生する楽曲のうち時間軸上において再生される時点（「再生点」という）を変化させるために利用者が操作する操作機器（いわゆるＤＪコントローラ）である。
【００１０】
図１に例示される通り、ＤＪ機器２０は、筐体２２と回転盤２３とを具備する。筐体２２は、例えば直方体に形成された中空の構造体である。図１に例示される通り、筐体２２の上面に回転盤２３が設置される。第１実施形態の回転盤２３は、楽曲の再生の制御に利用される操作子である。利用者は、再生点を変化させるために接触した状態で回転盤２３を操作する。利用者の操作に応じて回転する円盤が回転盤２３として利用される。すなわち、スクラッチ等のＤＪプレイが可能である。図１に例示される通り、回転盤２３の中心に設置された回転軸２４を中心として回転する。回転盤２３は、右回り（時計回り）および左回り（反時計回り）の双方向に回転する。
【００１１】
利用者は、回転盤２３に接触した状態で任意の方向および速度で回転させることで、再生点を変化させる。再生点を変化させる操作（すなわちＤＪプレイ）は、楽曲の時間軸上のうち任意の時点で行われる。具体的には、右回りに回転盤２３を回転させる動作は、再生点を時間軸上で後方（順方向）に移動させる操作（例えば早送り）に対応し、左回りに回転盤２３を回転させる動作は、再生点を時間軸上で前方（逆方向）に移動させる操作（例えば早戻し）に対応する。
【００１２】
第１実施形態の制御システム１０は、利用者によるＤＪ機器２０に対する操作に応じて、楽曲の再生点を変化させる。図１に例示される通り、制御システム１０は、通信装置１２と放音装置１３と制御装置１４と記憶装置１５とを具備する。記憶装置１５は、制御装置１４が実行するプログラムと制御装置１４が使用する各種のデータ（例えば音響信号Ｖ1）とを記憶する。音響信号Ｖ1は、楽曲の演奏音を表す信号であり、サンプルの時系列で表現される。なお、音響信号Ｖ1のファイル形式は任意である。例えば半導体記録媒体等の公知の記録媒体が記憶装置１５として任意に採用される。制御システム１０に対して着脱可能な記録媒体を記憶装置１５として利用してもよい。通信装置１２は、ＤＪ機器２０と通信するための通信機器である。
【００１３】
制御装置１４は、記憶装置１５に記憶されたプログラムを実行することで、楽曲の再生を制御するための機能（再生制御部１４１）を実現する。なお、制御装置１４の一部の機能を専用の電子回路で実現した構成、または、制御装置１４の機能を複数の装置に分散した構成を採用してもよい。
【００１４】
再生制御部１４１は、記憶装置１５に記憶された音響信号Ｖ1のうち再生点に対応するサンプルの時系列（以下「音響信号Ｖ2」という）を放音装置１３に供給する。再生点は、回転盤２３に対する操作に応じて設定されるから、回転盤２３に対する操作に応じた音響信号Ｖ2が音響信号Ｖ1から生成される。すなわち、ＤＪ機器２０に対する操作に応じた再生音が再生される。具体的には、ＤＪ機器２０に対する操作に応じて楽曲の再生方向（すなわち順方向または逆方向）と再生速度とが変化する。なお、回転盤２３が操作されない状態では再生点は順方向に一定の速度で進行する。したがって、音響信号Ｖ1と同波形の音響信号Ｖ2が放音装置１３に供給される。
【００１５】
放音装置１３は、例えばスピーカーまたはヘッドホンであり、再生制御部１４１から供給される音響信号Ｖ2（すなわち楽曲の演奏音を表す信号）に応じた楽曲を再生する。つまり、放音装置１３は、楽曲に応じた音響を空気振動として放射する。なお、制御システム１０に外付けされた放音装置１３、または、制御システム１０と通信可能な放音装置１３を楽曲の再生に利用してもよい。つまり、放音装置１３と制御システム１０とは別体および一体の何れでもよい。
【００１６】
図２は、図１のＤＪ機器２０におけるII−II線の断面図である。図２に例示される通り、回転軸２４の一方の端部は回転盤２３の中心に固定され、他方の端部は筐体２２に回転可能に支持される。例えば鉄心が回転軸２４として好適である。なお、回転軸２４と筐体２２との間には、回転軸２４の衝突による衝撃を緩和する緩衝体（クッション）２１１が設置される。図２に例示される通り、回転盤２３は、利用者が操作の際に接触する操作面Ｆ1と、操作面Ｆ1とは反対側の実装面Ｆ2とを具備する。
【００１７】
図２に例示される通り、筐体２２の内部には、電源回路２５と非接触給電部Ｃと第１支持部２６と第２支持部２７と電源処理回路２８と電気回路２９とが収容される。図２に例示される通り、電源回路２５は筐体２２に設置され、電気回路２９は回転部の実装面Ｆ2に設置される。電源回路２５は、外部電源から供給される直流電力に応じた交流電力を出力する。非接触給電部Ｃは、電源回路２５が出力した電力を非接触で電源処理回路２８に供給する。電源処理回路２８で処理された電力は、電気回路２９に供給される。すなわち、電源回路２５が出力した電力は、非接触給電部Ｃにより非接触で電気回路２９に供給される。
【００１８】
第１実施形態の非接触給電部Ｃは、第１コイルＣ1と第２コイルＣ2とを含むトランスである。第１コイルＣ1は、電源回路２５が出力した電力を第２コイルＣ2に対して送電する送電コイルである。第２コイルＣ2は、第１コイルＣ1から送電された電力を受電する受電コイルである。第１コイルＣ1は第１支持部２６により支持され、第２コイルＣ2は第２支持部２７により支持される。第２支持部２７は、円筒状の構造体であり、回転軸２４に設置される。第２支持部２７の内部を回転軸２４が貫通するように第２支持部２７が設置される。図２に例示される通り、第２支持部２７の外周面に第２コイルＣ2が巻回される。回転軸２４と第２支持部２７と第２コイルＣ2とは、利用者が回転盤２３を操作すると、回転盤２３とともに回転する。
【００１９】
第１支持部２６は、円筒状の構造体であり、筐体２２に設置される。回転軸２４のうち第２コイルＣ2が巻回された部分が、第１支持部２６の内部に収容されるように当該第１支持部２６が筐体２２に設置される。図２に例示される通り、第１支持部２６の内壁面に沿って第１コイルＣ1が巻回される。すなわち、第１コイルＣ1の内側に第２コイルＣ2が位置する。第１コイルＣ1の内周と第２コイルＣ2の外周とが相互に離間して対向する。すなわち、第１コイルＣ1と第２コイルＣ2とは接触しない。第２コイルＣ2は、利用者による回転盤２３の操作により第１コイルＣ1の内側で回転する。第１支持部２６および第２支持部２７は、磁性体の材料で形成される。したがって、図２の破線の矢印で示すように磁界が発生する。
【００２０】
第１実施形態では、筐体２２と第１支持部２６は、基体部３００として機能する。また、回転盤２３と回転軸２４と第２支持部２７とは、基体部３００に回転可能に支持されて楽曲の再生の進行に利用される回転体４００として機能する。基体部３００は、利用者による回転盤２３の操作に関わらず固定である。他方、回転体４００は、利用者による回転盤２３の操作に応じて回転する。第１コイルＣ1は、基体部３００（第１支持部２６）に設置され、第２コイルＣ2は、回転体４００（回転盤２３）に設置される。
【００２１】
図３は、ＤＪ機器２０の機能的な構成を例示するブロック図である。基体部３００（筐体２２）に設置され電源回路２５により出力された交流電力Ｐoutは、非接触給電部Ｃを介して、回転体４００（回転盤２３）に接続された電気回路２９に供給される。図３に例示される通り、電源回路２５は、発振回路２５１と変換回路２５３と高調波抑制回路２５７と直流カット回路２５９とを具備する。
【００２２】
発振回路２５１は、所定の発振周波数で変動する周期信号Ｓを生成する。周期信号Ｓは、例えば電力の伝送効率が高い発振周波数で変動するクロック信号である。変換回路２５３は、外部電源から供給される直流電力Ｐinを、発振回路２５１が生成する周期信号Ｓを利用して交流電力に変換する直流-交流変換回路である。周期信号Ｓに応じて相補的にオン／オフする複数のトランジスターを含むハーフブリッジ回路またはフルブリッジ回路が変換回路２５３の好適例である。高調波抑制回路２５７は、変換回路２５３が出力する交流電力のうち所定の周波数を上回る高調波成分を抑制するローパスフィルタである。直流カット回路２５９は、例えば前述の発振周波数に対するインピーダンスが充分に低いキャパシタを含んで構成され、高調波抑制回路２５７の出力電力から直流成分を抑制することで電力（交流電流）Ｐoutを生成する。直流カット回路２５９が生成した電力Ｐoutが非接触給電部Ｃの第１コイルＣ1に供給される。
【００２３】
第１コイルＣ1に電力Ｐoutが供給されると、相互誘導により第２コイルＣ2に交流電力ＰAが発生する。第２コイルＣ2に発生した交流電力ＰAは、回転盤２３に設置された電源処理回路２８に供給される。なお、回転体４００のうち回転盤２３とは異なる要素に電源処理回路２８を設置してもよい。電源処理回路２８は、交流電力ＰAを直流電力ＰDに変換して電気回路２９に供給する。図３に例示される通り、電源処理回路２８は、直流カット回路２８１と整流回路２８３と平滑回路２８５とを具備する。直流カット回路２８１は、第２コイルＣ2から供給される交流電力ＰAの直流成分を抑制する。整流回路２８３は、直流カット回路２８１から出力される交流電力を整流（半波整流または全波整流）する。平滑回路２８５は、例えば大容量のキャパシタで構成され、整流回路２８３による整流後の電力を平滑化することで直流電力ＰDを生成する。平滑回路２８５が生成した直流電力ＰDは、電気回路２９に供給される。
【００２４】
電気回路２９は、電源処理回路２８から供給された直流電力ＰDにより動作する。図３に例示される通り、電気回路２９は、振動体２９１と増幅器２９３と通信機２９５と操作検出部２９７とを具備する。振動体２９１と増幅器２９３と通信機２９５と操作検出部２９７とのそれぞれに直流電力ＰDが供給される。操作検出部２９７は、回転盤２３に対する操作に応じた操作情報を生成する。例えば、回転盤２３の回転量と回転方向とを含む操作情報が所定の周期で生成される。操作情報は、制御システム１０における再生点の設定（すなわち音響信号Ｖ2の生成）に利用される。なお、操作情報の生成には公知の技術が任意に採用される。
【００２５】
通信機２９５は、制御システム１０と相互に通信するための通信機器である。具体的には、通信装置１２は、操作検出部２９７が生成した操作情報を制御システム１０に送信する。制御システム１０は、ＤＪ機器２０から送信された操作情報に応じて音響信号Ｖ2を生成し、当該ＤＪ機器２０に音響信号Ｖ2を送信する。通信機２９５は、制御システム１０が生成した音響信号Ｖ2を受信する。
【００２６】
増幅器２９３は、制御システム１０から送信された音響信号Ｖ2を増幅して振動体２９１に供給する。振動体２９１は、増幅器２９３による増幅後の音響信号Ｖ2（すなわち通信機２９５が受信した音響信号Ｖ2）に応じて振動する。図２に例示される通り、回転盤２３の実装面Ｆ2に振動体２９１が設置される。偏心モーター、リニア・バイブレータまたは圧電素子等のアクチュエータが振動体２９１として好適に利用される。振動体２９１が設置された回転盤２３は、当該振動体２９１の振動に連動して振動する。したがって、回転盤２３を接触した状態で操作する利用者は、楽曲のうち再生点に応じた振動を感じることができる。以上の説明から理解される通り、利用者は、再生点が表す音を、放音装置１３からの放音により聴覚的に感じ取るだけでなく触覚的に感じ取ることができる。
【００２７】
ケーブル等の有線により回転体４００の電気回路２９に電力を供給する構成（以下「対比例１」という）では、ケーブルが回転体４００の回転を阻害してしまう。また、整流子およびブラシを利用して回転体４００の電気回路２９に給電する構成（以下「対比例２」という）も想定されるが、整流子の経時的な磨耗または整流子とブラシとの摺動に起因した雑音が問題となる。第１実施形態の構成によれば、回転体４００に設置される電気回路２９に、回転体４００を支持する基体部３００に設置された電源回路２５が出力した電力が非接触で給電されるから、磨耗および雑音等の問題を抑制しながら、回転を阻害することなく回転体４００の電気回路２９に給電することが可能である。
【００２８】
＜第２実施形態＞
本発明の第２実施形態を説明する。以下に例示する各態様において作用や機能が第１実施形態と同様である要素については、第１実施形態の説明で使用した符号を流用して各々の詳細な説明を適宜に省略する。
【００２９】
第２実施形態では、楽曲の音響信号Ｖ1が記録されたレコードＲ（つまりアナログレコード）が回転盤２３に載置されるＤＪ機器２０を想定する。すなわち、レコードプレイヤがＤＪ機器２０として利用される。
【００３０】
図４は、第２実施形態に係るＤＪ機器２０の構成を例示する斜視図である。図４に例示される通り、第２実施形態のＤＪ機器２０は、レコードＲに記録された音響信号Ｖ1に応じた音響信号Ｖ2を生成する検出機器２１２を具備する。検出機器２１２は、筐体２２の上面に設置され、例えばレコード針１２１とトーンアーム１２３とで構成される。レコードＲには音響信号Ｖ1を表した溝部が渦巻状に形成される。レコードＲの溝部のうちレコード針１２１が接触する部分が再生点である。音響信号Ｖ1のうち再生点に対応する部分の時系列が音響信号Ｖ2として生成される。
【００３１】
図５は、図４のＤＪ機器２０のV-V線における断面図である。図５に例示される通り、第２実施形態のＤＪ機器２０は、回転盤２３（すなわち回転体４００）を回転させる駆動機構を具備する。駆動機構は、回転体５２１とプーリー５２２とモーター５２３と無端ベルト５２４とを具備する。モーター５２３はプーリー５２２を回転させる。回転体５２１は、回転盤２３の裏面に固定された円筒状の構造体である。無端ベルト５２４は、回転体５２１とプーリー５２２とにわたり架設される。以上の構成により、回転体５２１はプーリー５２２に連動して一定の角速度で回転する。
【００３２】
第２実施形態では、利用者が接触した状態でレコードＲを回転させる（すなわちＤＪプレイ）ことで、再生点が変化する。すなわち、レコードＲは、回転盤２３の回転により一定の速度で回転するほか、利用者による操作に応じて回転する。したがって、レコードＲに対する操作に応じた音響信号Ｖ2が検出機器２１２から出力される。なお、レコードＲが操作されない状態では再生点は順方向に一定の速度で進行する。したがって、音響信号Ｖ1と同波形の音響信号Ｖ2が検出機器２１２により検出される。
【００３３】
図６は、第２実施形態に係るＤＪ機器２０の機能的な構成を例示するブロック図である。図５および図６に例示される通り、第２実施形態の基体部３００には、第１実施形態と同様の電源回路２５のほかに、上述した検出機器２１２と、通信機２１４とが設置される。通信機２１４は、例えば近距離無線通信により制御システム１０と通信する通信機器である。具体的には、通信機２１４は、検出機器２１２が生成した音響信号Ｖ2を制御システム１０に送信する。第２実施形態の制御システム１０の再生制御部１４１は、ＤＪ機器２０から送信された音響信号Ｖ2を放音装置１３に供給する。放音装置１３は、音響信号Ｖ2に応じた音響を放音する。すなわち、ＤＪ機器２０に対する操作に応じた再生音が再生される。通信装置１２は、基体部３００の通信機２１４から受信した音響信号Ｖ2を回転体４００の通信機２９５に送信する。
【００３４】
第２実施形態のＤＪ機器２０の電気回路２９は、第１実施形態と同様に、非接触給電部Ｃを介して供給された電力により動作する。電気回路２９の通信機２９５は、第１実施形態と同様に、制御システム１０から送信された音響信号Ｖ2を受信する。増幅器２９３は、第１実施形態と同様に、通信機２９５が受信した音響信号Ｖ2を増幅する。振動体２９１は、増幅器２９３による増幅後の音響信号Ｖ2（すなわち通信機２９５が受信した音響信号Ｖ2）に応じて振動する。以上の説明から理解される通り、第２実施形態においても第１実施形態と同様の効果が実現される。なお、第２実施形態では、通信機２１４が制御システム１０に音響信号Ｖ2を送信したが、通信機２１４が通信機２９５に音響信号Ｖ2を送信してもよい。振動体２９１は、通信機２９５が通信機２１４から受信した音響信号Ｖ2に応じて振動する。
【００３５】
＜第３実施形態＞
図７は、第３実施形態に係るＤＪ機器２０の断面図（図２に対応する断面図）である。第１実施形態では、第１コイルＣ1の内側に第２コイルＣ2が位置する構成を例示したが、第３実施形態では、回転軸２４が延在する方向に沿って第１コイルＣ1と第２コイルＣ2とが上下に位置する構成を例示する。第２実施形態のＤＪ機器２０における非接触給電部Ｃ（第１コイルＣ1および第２コイルＣ2）以外の構成は、第３実施形態と同様である。
【００３６】
図７に例示される通り、第１コイルＣ1は、筐体２２に設置された第１支持部２６により支持され、第２コイルＣ2は、回転軸２４に設置された第２支持部２７により支持される。すなわち、第１コイルＣ1は基体部３００に設置され、第２コイルＣ2は回転体４００に設置される。第１コイルＣ1の上面と第２コイルＣ2の下面とが相互に離間して対向する。第１実施形態と同様に、第１支持部２６と第２支持部２７とが磁性体で形成されるから、図７の破線の矢印で示すように磁界が発生する。
【００３７】
以上の説明から理解される通り、第１実施形態と同様に、電源回路２５が出力した電力Ｐoutを非接触で電気回路２９に供給することが可能である。第３実施形態では、第１コイルＣ1と第２コイルＣ2とが回転軸２４が延在する方向に沿って位置するから、第１実施形態の構成と比較して、筐体２２の厚さ（高さ）を小さくできる。すなわち、ＤＪ機器２０を小型化（薄型化）することが可能である。他方、第１実施形態のように第１コイルＣ1の内側に第２コイルＣ2が位置する構成によれば、基体部３００から回転体４００に対して効率的に電力を供給できるという利点がある。なお、第３実施形態の構成は、第２実施形態にも適用される。
【００３８】
＜変形例＞
以上に例示した各態様は多様に変形される。具体的な変形の態様を以下に例示する。以下の例示から任意に選択された２個以上の態様を、相互に矛盾しない範囲で適宜に併合してもよい。
【００３９】
（１）本発明は、ＤＪ機器２０以外の装置にも利用される。例えば、利用者からの回転盤２３またはレコードに対する操作が不要なレコードプレイヤに本発明を適用してもよい。ＤＪ機器２０とレコードプレイヤとは、音響機器として包括的に表現される。
【００４０】
（２）前述の各形態では、音響信号Ｖ2に応じて振動する振動体２９１を電気回路２９が具備する構成を例示したが、例えば、音響信号Ｖ2に応じて発光する発光部を電気回路２９が含んでもよい。振動体２９１と発光部とは、音響信号Ｖ2に応じて動作する動作部として包括的に表現される。なお、振動体２９１および発光部とは異なる動作部を電気回路２９が具備する構成も採用される。
【００４１】
（３）前述の各形態では、通信機２１４が無線により受信した音響信号Ｖ2を動作部に供給したが、音響信号Ｖ2の伝送に非接触給電部Ｃを利用してもよい。以上の構成では、非接触給電部Ｃは基体部３００から動作部に音響信号Ｖ2を伝送し、動作部は非接触給電部Ｃにより伝送された音響信号Ｖ2に応じて動作する。例えば音響信号Ｖ2が電力Ｐoutに重畳されることで基体部３００から回転体４００伝送される。非接触給電部Ｃが音響信号Ｖ2を伝送する構成によれば、音響信号Ｖ2を動作部に伝送するための要素（例えば通信機２１４）が非接触給電部Ｃとは別体である構成と比較して、ＤＪ機器２０の小型化が可能である。ただし、通信機２１４が無線により受信した音響信号Ｖ2に応じて動作部が動作する構成によれば、非接触給電部Ｃが音響信号Ｖ2を伝送する構成と比較して、音響信号Ｖ2のノイズが低減されるという利点がある。
【００４２】
（４）前述の各形態では、電気回路２９は回転盤２３の実装面Ｆ2に設置されたが、電気回路２９が設置される位置は回転盤２３の実装面Ｆ2に限定されない。電気回路２９は回転体４００の任意の場所に設置される。例えば、回転盤２３の操作面Ｆ1または回転軸２４に設置してもよい。なお、電気回路２９の各要素（振動体２９１，増幅器２９３，通信機２９４，操作検出部２９７）を回転体４００の異なる位置に設置してもよい。例えば、振動体２９１を操作面Ｆ1に設置し、その他の要素を回転盤２３の実装面Ｆ2に設置してもよい。
【００４３】
（５）前述の各形態では、第１コイルＣ1が第１支持部２６に設置されたが、第１コイルＣ1は基体部３００の任意の場所に設置される。例えば筐体２２に第１コイルＣ1が設置されてもよい。すなわち、第１支持部２６は必須ではない。また、第２コイルＣ2が第２支持部２７に設置されたが、第２コイルＣ2は回転体４００の任意の場所に設置される。例えば回転軸２４または回転盤２３に第２コイルＣ2が設置されてもよい。すなわち、第２支持部２７は必須ではない。ただし、第１コイルＣ1と第２コイルＣ2とは相互に離間して対向する位置に設置される。
【００４４】
（６）前述の各形態では、第１支持部２６と筐体２２とで基体部３００を構成したが、基体部３００の構成は以上の例示に限定されない。例えば、第１支持部２６と筐体２２とを一体で形成する構成、または、第１支持部２６と筐体２２とは異なる要素を基体部３００が含んでもよい。また、回転盤２３と回転軸２４と第２支持部２７とで回転体４００を構成したが、回転体４００の構成は以上の例示に限定されない。例えば、回転盤２３と回転軸２４と第２支持部２７とを一体で形成する構成、または、回転盤２３と回転軸２４と第２支持部２７とは異なる要素を回転体４００が含んでもよい。
【００４５】
（７）前述の各形態では、第１支持部２６が第１コイルＣ1を支持したが、第１コイルＣ1を支持する方法は以上の例示に限定されない。例えば複数の支持部を利用して第１コイルＣ1を支持してもよい。また、第２コイルＣ2も同様に、複数の支持部を利用して第２コイルＣ2を支持してもよい。第１コイルＣ1が基体部３００に設置され、第２コイルＣ2が回転体４００に設置されれば、第１コイルＣ1および第２コイルＣ2を設置する方法は任意である。
【００４６】
（８）前述の各形態では、操作検出部２９７と通信機２９５と振動体２９１と増幅器２９３とを電気回路２９が具備する構成を例示したが、電気回路２９の構成は以上の例示に限定されない。
【００４７】
（９）前述の各形態では、音響信号Ｖ2を動作部に供給したが、例えば周波数特性を調整する効果付与処理等の信号処理後の音響信号Ｖ2を動作部に供給してもよい。
【００４８】
（１０）前述の各形態では、制御システム１０とＤＪ機器２０とを相互に別体の装置とする構成を例示したが、ＤＪ機器２０に制御システム１０を搭載してもよい。
【００４９】
（１１）以上に例示した形態から、例えば以下の構成が把握される。
【００５０】
本発明の好適な態様（第１態様）に係る音響機器は、基体部と、前記基体部に設置されて電力を出力する電源回路と、前記基体部に回転可能に支持されて楽曲の再生の進行に利用される回転体と、前記回転体に設置されて給電により動作する電気回路と、前記電源回路が出力した電力を非接触で前記電気回路に供給する非接触給電部とを具備する。ケーブル等の有線により回転体の電気回路に電力を供給する構成（以下「対比例１」という）では、ケーブルが回転体の回転を阻害してしまう。また、整流子およびブラシを利用して回転体の電気回路に給電する構成（以下「対比例２」という）も想定されるが、整流子の経時的な磨耗または整流子とブラシとの摺動に起因した雑音が問題となる。以上の態様によれば、回転体に設置される電気回路に、回転体を支持する基体部に設置された電源回路が出力した電力が非接触で給電されるから、磨耗および雑音等の問題を抑制しながら、回転を阻害することなく回転体の電気回路に給電することが可能である。
【００５１】
第１態様の好適例（第２態様）において、前記回転体は、利用者の操作に応じて回転する。以上の態様によれば、利用者の操作に応じて回転体が回転するから、スクラッチ等のＤＪプレイが可能である。
【００５２】
第１態様または第２態様の好適例（第３態様）において、前記回転体を回転させる駆動機構を具備し、前記回転体には、レコードが載置される。以上の態様によれば、駆動機構により回転する回転体にレコードが載置されるから、レコードに記録された音を再生することが可能である。
【００５３】
第１態様から第３態様の何れかの好適例（第４態様）において、前記非接触給電部は、前記基体部に設置される第１コイルと、前記回転体に設置される第２コイルとを含むトランスである。以上の態様によれば、第１コイルと第２コイルとの相互誘導を利用して簡便な構成により非接触で電気回路に給電できる。
【００５４】
第１態様から第４態様の何れかの好適例（第５態様）において、前記電気回路は、前記楽曲の演奏音を表す音響信号に応じて動作する動作部を含む。以上の態様によれば、楽曲の演奏音を表す音響信号に応じて動作する動作部を電気回路が含むから、利用者が楽曲を聴覚以外の方法により直感的に把握することができる。
【００５５】
第５態様の好適例（第６態様）において、前記動作部は、前記音響信号に応じて振動する振動体である。以上の態様によれば、音響信号に応じて振動する振動体が動作部であるから、例えば回転体を触れた利用者（例えばＤＪ）が触覚的に楽曲を把握することができる。
【００５６】
第５態様または第６態様の好適例（第７態様）において、前記電気回路は、前記音響信号を無線により受信する通信機を含み、前記動作部は、前記通信機が受信した前記音響信号に応じて動作する。以上の態様によれば、通信機が無線により受信した音響信号に応じて動作部が動作するから、例えば非接触給電部が動作部に音響信号を伝送する構成と比較して、音響信号のノイズが低減される。
【００５７】
第５態様または第６態様の好適例（第８態様）において、前記非接触給電部は、前記基体部から前記動作部に前記音響信号を伝送し、前記動作部は、前記非接触給電部により伝送された前記音響信号に応じて動作する。以上の態様によれば、非接触給電部により伝送された音響信号に応じて動作部が動作するから、例えば音響信号を動作部に伝送するための要素が非接触給電部とは別体である構成と比較して、音響機器の小型化が可能である。
【符号の説明】
【００５８】
１００…再生システム、１０…制御システム、１２…通信装置、１３…放音装置、１４…制御装置、１４１…再生制御部、１５…記憶装置、２１２…検出機器、１２１…レコード針、１２３…トーンアーム、２１４…通信機、２２…筐体、２３…回転盤、２４…回転軸、２５…電源回路、２５１…発振回路、２５３…交流変換回路、２５３…変換回路、２５７…高調波抑制回路、２５９…直流カット回路、２６…第１支持部、２７…第２支持部、２８…電源処理回路、２８１…直流カット回路、２８３…整流回路、２８５…平滑回路、２９…電気回路、２９１…振動体、２９３…増幅器、２９５…通信機、２９７…操作検出部、３００…基体部、４００…回転体、５２１…回転体、５２２…プーリー、５２３…モーター、５２４…無端ベルト、Ｃ…非接触給電部、Ｃ1…第１コイル、Ｃ2…第２コイル。
【図１】
2020089036.tif 000003
【図２】
2020089036.tif 000004
【図３】
2020089036.tif 000005
【図４】
2020089036.tif 000006
【図５】
2020089036.tif 000007
【図６】
2020089036.tif 000008
【図７】
2020089036.tif 000009